(57)【要約】【課題】ユニキャストデータ及びマルチキャストデータが時分割に混在して複数の基地局から配信されるＬＴＥ方式の通信環境にあっても、最適なＦＦＴタイミングに制御することができる無線端末、方法及びプログラムを提供する。【解決手段】無線端末は、ＬＴＥ方式のユニキャストデータ号及びマルチキャストデータが時分割に混在した信号を、複数の基地局から受信すると共に、下りリンク信号に対するＦＦＴ部を搭載している。複数の下りリンク信号について同期タイミングを検出すると共に、当該下りリンク信号がユニキャストデータ又はマルチキャストデータであるかを検出する同期タイミング検出手段と、当該下りリンク信号がマルチキャストデータに基づくものである場合、遅延が最も小さい（最初に到達した）下りリンク信号の同期タイミングを、ＦＦＴウィンドウの開始点とするべく、ＦＦＴ部を制御するＦＦＴタイミング制御手段とを有する。【選択図】図３
2013207464.tif 000002
【特許請求の範囲】
【請求項１】
ＬＴＥ(Long
Term Evolution)方式のユニキャストデータ号及びマルチキャストデータが時分割に混在した信号を、複数の基地局から受信する無線端末について、下りリンク信号に対するＦＦＴ(Fast Fourier Transform)部を搭載した無線端末であって、
複数の下りリンク信号について同期タイミングを検出すると共に、当該下りリンク信号がユニキャストデータ又はマルチキャストデータであるかを検出する同期タイミング検出手段と、
当該下りリンク信号がマルチキャストデータに基づくものである場合、遅延が最も小さい（最初に到達した）下りリンク信号の同期タイミングを、ＦＦＴウィンドウの開始点とするべく、ＦＦＴ部を制御するＦＦＴタイミング制御手段と
を有することを特徴とする無線端末。
【請求項２】
同期タイミング検出手段は、受信電力、ＲＳＲＰ(Reference Signal Received Power)及び／又はＲＳＲＱ(Reference Signal Received Quality)が、所定閾値以上となる下りリンク信号についてのみ、ユニキャストデータ又はマルチキャストデータであるかを検出することを特徴とする請求項１に記載の無線端末。
【請求項３】
ＦＦＴタイミング制御手段は、当該下りリンク信号がユニキャストデータに基づくものである場合、ユニキャスト用として選択された基地局からの信号の中で受信電力、ＲＳＲＰ及び／又はＲＳＲＱが最も高い下りリンク信号の同期タイミングを、ＦＦＴウィンドウの開始点とするべく、ＦＦＴ部を制御することを特徴とする請求項２に記載の無線端末。
【請求項４】
基地局から受信した下りリンク信号は、ｅＭＢＭＳ(evolved Multimedia Broadcast Multicast Service)方式のＭＢＳＦＮ(Multimedia Broadcast Single Frequency Network)に基づくものであり、
同期タイミング検出手段は、ＳＩＢ(System Information Block)及びＭＣＨ(Multicast Channel)に多重されたＭＣＣＨ(Multicast Control Channel)及びＭＳＩ(MCH Scheduling Information)によって端末が受信するマルチキャスト信号が配信されるタイミングを検出する
ことを特徴とする請求項１から３のいずれか１項に記載の無線端末。
【請求項５】
ＬＴＥ方式のユニキャストデータ号及びマルチキャストデータが時分割に混在した信号を、複数の基地局から受信する無線端末について、当該無線端末に搭載されたＦＦＴ部に対するＦＦＴタイミング制御方法であって、
複数の下りリンク信号について同期タイミングを検出すると共に、当該下りリンク信号がユニキャストデータ又はマルチキャストデータであるかを検出する第１のステップと、
当該下りリンク信号がマルチキャストデータに基づくものである場合、遅延が最も小さい（最初に到達した）下りリンク信号の同期タイミングを、ＦＦＴウィンドウの開始点とするべく、ＦＦＴ部を制御する第２のステップと
を有することを特徴とするＦＦＴタイミング制御方法。
【請求項６】
第１のステップは、受信電力、ＲＳＲＰ(Reference Signal Received Power)及び／又はＲＳＲＱ(Reference Signal Received Quality)が所定閾値以上となる下りリンク信号についてのみ、ユニキャストデータ又はマルチキャストデータであるかを検出することを特徴とする請求項５に記載のＦＦＴタイミング制御方法。
【請求項７】
第２のステップは、当該下りリンク信号がユニキャストデータに基づくものである場合、ユニキャスト用として選択された基地局からの信号の中で受信電力、ＲＳＲＰ及び／又はＲＳＲＱが最も高い下りリンク信号の同期タイミングを、ＦＦＴウィンドウの開始点とするべく、ＦＦＴ部を制御することを特徴とする請求項６に記載のＦＦＴタイミング制御方法。
【請求項８】
基地局から受信した下りリンク信号は、ｅＭＢＭＳ方式のＭＢＳＦＮに基づくものであり、
第１のステップは、ＳＩＢ及びＭＣＨに多重されたＭＣＣＨ及びＭＳＩによって端末が受信するマルチキャスト信号が配信されるタイミングを検出する
ことを特徴とする請求項５から７のいずれか１項に記載のＦＦＴタイミング制御方法。
【請求項９】
ＬＴＥ方式のユニキャストデータ号及びマルチキャストデータが時分割に混在した信号を、複数の基地局から受信する無線端末について、下りリンク信号に対するＦＦＴ部を搭載した無線端末に搭載されたコンピュータを機能させるプログラムであって、
複数の下りリンク信号について同期タイミングを検出すると共に、当該下りリンク信号がユニキャストデータ又はマルチキャストデータであるかを検出する同期タイミング検出手段と、
当該下りリンク信号がマルチキャストデータに基づくものである場合、遅延が最も小さい（最初に到達した）下りリンク信号の同期タイミングを、ＦＦＴウィンドウの開始点とするべく、ＦＦＴ部を制御するＦＦＴタイミング制御手段と
してコンピュータを機能させることを特徴とする無線端末用のプログラム。
【発明の詳細な説明】
【技術分野】
【０００１】
本発明は、ＬＴＥ(Long Term Evolution)方式に基づく無線端末について、下りリンク信号の同期タイミングを検出する技術に関する。
【背景技術】
【０００２】
第４世代移動通信システムにおけるＬＴＥ方式によれば、下りリンク信号にＯＦＤＭＡ(Orthogonal Frequency Division Multiple Access：直交周波数分割多重接続)方式を用いる。ＯＦＤＭＡ方式は、１つの周波数帯に位相が直交するように分割し、多数のサブキャリアを詰め込んでデータ伝送するＯＦＤＭ方式をベースに、複数の無線端末がサブキャリアを共有することができる。これによって、各無線端末にとっては最も伝送効率のよいサブキャリアを割り当てることができ、事業者にとっては周波数利用効率を向上させることができる。
【０００３】
無線端末は、下りリンク信号に対するＦＦＴ(Fast Fourier Transform、高速フーリエ変換)部を搭載し、サブキャリア毎の情報シンボルに復元する。ＦＦＴ部は、ＦＦＴタイミングに基づくＦＦＴウィンドウを有し、ガードインターバル区間内で設定される。ここで、そのＦＦＴウィンドウの開始点を、下りリンク信号の受信電力が最大となる同期タイミングに設定する技術がある（例えば特許文献１参照）。この技術によれば、ＦＦＴウィンドウ区間で、１シンボルの直接波成分及び遅延波成分の電力をできる限り多く確保する。これによって、シンボル間干渉の影響をできる限り小さくするようなシンボル同期タイミングを、伝搬路状況に応じて検出することができる。
【０００４】
図１は、従来技術におけるＦＦＴウィンドウの開始点を表す説明図である。
【０００５】
ＦＦＴ区間を調整するためのセルは、セルサーチによって決定される。ＬＴＥ方式によれば、セルサーチ方式として、基地局は、５ｍｓに１回の時間間隔で、１つの系列を有するＰ−ＳＣＨと、複数の系列を有するＳ−ＳＣＨとを送信する（例えば非特許文献１参照）。無線端末は、セル情報をサーチし、その中から電波の質を見て、電波の質が規定以上を満たす時間をタイマを用いて監視する。尚、非特許文献２によれば、電波の質としては、一般的に電力を基準として規定されている。
【０００６】
ここで、ＬＴＥの無線端末は、基地局に対して、非接続状態(IDLE)と接続状態(connected)との２つの状態を有し、それぞれで基地局の選択方法が異なる。非接続状態では、無線端末は自ら、タイマを用いて無線品質が一定以上の基地局を選択する（セル再選択方式）。一方で、接続状態では、無線端末は、無線品質情報を基地局へ報告し、基地局主導でセルを選択する（ハンドオーバ方式）。また、初期起動時に、無線端末が、無線品質を測定した上で、セルを選択することもできる。以下では、起動時及び非接続状態(IDLE)におけるセル再選択を合わせて、「セル選択方式」として定義する。
【０００７】
無線端末は、セル選択方式の場合、その時に選択されたセルを基準とし、そのマルチパス成分を含めた信号の最適なＦＦＴウィンドウを設定する。また、セル選択時に、周波数毎に優先順位をつけることによって、優先順位が高いセルに接続される技術もある（例えば特許文献２参照）。これによって、基地局側へ、無駄な報告がなされないようにしている。
【０００８】
また、セルサーチ時に消費電力を減らすための技術がある（例えば特許文献２参照）。更に、選択したセルについて、ＦＦＴのタイミングを調整するときの具体的なアルゴリズムを規定する技術もある（例えば特許文献３参照）。但し、いずれの方式も、ユニキャスト用のセルを選択することを前提としており、マルチキャスト用に別のセルもあわせて選択することを目的としていない。
【０００９】
図１によれば、無線端末１は、基地局Ａ〜Ｅから送信される電波を受信している。ここで、基地局Ａからの電波が最初に到達しており、基地局Ａからの下りリンク信号の遅延が最も小さい。遅延が小さい順に、基地局Ａ->Ｂ->Ｃ->Ｄ->Ｅとなっている。また、ガードインターバル区間内では、基地局Ｂからの下りリンク信号の受信電力が最も高い。受信電力が大きい順に、基地局Ｂ->Ａ->Ｄ->Ｅ->Ｃとなっている。この場合、前述した特許文献１、２及び３に記載された技術によれば、周波数の優先順位を別途設定していない場合、ＦＦＴウィンドウの開始点は、基地局Ｂが選択され、それを基準にＦＦＴウィンドウが調整される。
【先行技術文献】
【特許文献】
【００１０】
【特許文献１】特開２００５−１６８０００号公報
【特許文献２】特開２００９−２３２２９３号公報
【特許文献３】特開２０１０−４５５４６号公報
【非特許文献】
【００１１】
【非特許文献１】3GPP, TS36.211 (V8.2.0), "Physical channels andmodulation,"Mar.2008.
【非特許文献２】3GPP, TS36.14 V10.0.0 (2010-12), "Physical layer :Measurement,".  ReferenceSignal Received Quality (RSRQ) is defined as the ratio N×RSRP/(E-UTRA carrier RSSI), where N is the number of RB’s of theE-UTRA carrier RSSI measurement bandwidth. The measurements in the numeratorand denominator shall be made over the same set of resource blocks.  Referencesignal received power (RSRP), is defined as the linear average over the powercontributions (in [W]) of the resource elements that carry cell-specificreference signals within the considered measurement frequency bandwidth.
【発明の概要】
【発明が解決しようとする課題】
【００１２】
近年、ＭＢＭＳを進化させたｅＭＢＭＳ(evolved Multimedia Broadcast Multicast Service)が、３ＧＰＰ(3rd Generation Partnership Project)によって規格化されている。ｅＭＢＭＳには、特に、ＳＦＮ(Single Frequency Network)に適用したＭＢＳＦＮ(Multimedia Broadcast Single Frequency Network)の技術が取り入れられている。ＳＦＮとは、同一周波数を複数の中継局を介して放送するネットワークをいう。
【００１３】
ＬＴＥ方式によれば、ｅＭＢＭＳのように、マルチキャストデータを送信する技術も展開されてきている。ｅＭＢＭＳによれば、マルチメディア放送及び同報サービスを意味し、動画や音楽などのマルチメディアコンテンツを携帯電話網を介して配信することができる。この技術では、マルチキャストで携帯電話網を介して配信してても、システムのリソースの効率を向上させることができる。ｅＭＢＭＳによれば、ユニキャストデータ及びマルチキャストデータを、同一帯域（チャネル）内で時分割に混在させて、基地局から送信する。特に、マルチキャストデータについては、同一時間帯に、同一リソース（コンテンツ）が同一周波数で複数の基地局から配信される。
【００１４】
図２は、無線端末におけるｅＭＢＭＳ方式の下りリンク信号の状態を表す説明図である。
【００１５】
図２によれば、各基地局から送信される信号は、ユニキャストデータ及びマルチキャストデータが同一帯域（チャネル）内で時分割に混在している。ここで、ユニキャストデータのコンテンツ（内容）は、基地局毎に異なっているのに対し、マルチキャストデータのコンテンツは、同一のMBSFNエリアの全ての基地局で同一のものとなる。また、各基地局から受信した同一内容のマルチキャストデータは、遅延によって受信タイミングが異なる。図２によれば、図１と同様に、基地局Ａから受信したマルチキャストデータの遅延時間が最も短く、基地局Ｂから受信したマルチキャストデータの下りリンク信号の受信電力が最も高い。この場合、特許文献１に記載された技術によれば、ＦＦＴタイミングは、基地局Ｂから受信した下りリンク信号の同期タイミングを基準に設定される。
【００１６】
しかしながら、前述した従来技術におけるＦＦＴタイミングは、一般的にユニキャストデータを想定したものであって、同一時刻に同一周波数の同一リソースが複数の基地局から配信されるようなマルチキャストデータについて検討したものではない。
【００１７】
また、ＭＢＳＦＮによれば、無線端末におけるマルチキャストデータの受信利得に劣化が生じるという問題がある。マルチキャストデータは、同一時刻に同一周波数で同一リソースが複数の基地局から配信されるために、無線端末は、ＦＦＴウィンドウ内でＦＦＴを実行しても、先に到達した下りリンク信号における先行遅延を発生させてしまう。例えば図１によれば、基地局Ｂからの下りリンク信号の同期タイミングを基準に、ＦＦＴタイミングが設定された場合、基地局Ａからの先行する下りリンク信号が干渉源となる。
【００１８】
そこで、本発明は、ユニキャストデータ及びマルチキャストデータが時分割に混在して複数の基地局から配信されるＬＴＥ方式の通信環境にあっても、最適なＦＦＴタイミングに制御することができる無線端末、方法及びプログラムを提供することを目的とする。
【課題を解決するための手段】
【００１９】
本発明によれば、ＬＴＥ(Long Term Evolution)方式のユニキャストデータ号及びマルチキャストデータが時分割に混在した信号を、複数の基地局から受信する無線端末について、下りリンク信号に対するＦＦＴ(Fast Fourier Transform)部を搭載した無線端末であって、
複数の下りリンク信号について同期タイミングを検出すると共に、当該下りリンク信号がユニキャストデータ又はマルチキャストデータであるかを検出する同期タイミング検出手段と、
当該下りリンク信号がマルチキャストデータに基づくものである場合、遅延が最も小さい（最初に到達した）下りリンク信号の同期タイミングを、ＦＦＴウィンドウの開始点とするべく、ＦＦＴ部を制御するＦＦＴタイミング制御手段と
を有することを特徴とする。
【００２０】
本発明の無線端末における他の実施形態によれば、
同期タイミング検出手段は、受信電力、ＲＳＲＰ(Reference Signal Received Power)及び／又はＲＳＲＱ(Reference Signal Received Quality)が、所定閾値以上となる下りリンク信号についてのみ、ユニキャストデータ又はマルチキャストデータであるかを検出することも好ましい。
【００２１】
本発明の無線端末における他の実施形態によれば、
ＦＦＴタイミング制御手段は、当該下りリンク信号がユニキャストデータに基づくものである場合、ユニキャスト用として選択された基地局からの信号の中で受信電力、ＲＳＲＰ及び／又はＲＳＲＱが最も高い下りリンク信号の同期タイミングを、ＦＦＴウィンドウの開始点とするべく、ＦＦＴ部を制御することも好ましい。
【００２２】
本発明の無線端末における他の実施形態によれば、
基地局から受信した下りリンク信号は、ｅＭＢＭＳ(evolved Multimedia Broadcast Multicast Service)方式のＭＢＳＦＮ(Multimedia Broadcast Single Frequency Network)に基づくものであり、
同期タイミング検出手段は、ＳＩＢ(System Information Block)及びＭＣＨ(Multicast Channel)に多重されたＭＣＣＨ(Multicast Control Channel)及びＭＳＩ(MCH Scheduling Information)によって端末が受信するマルチキャスト信号が配信されるタイミングを検出することも好ましい。
【００２３】
本発明によれば、ＬＴＥ方式のユニキャストデータ号及びマルチキャストデータが時分割に混在した信号を、複数の基地局から受信する無線端末について、当該無線端末に搭載されたＦＦＴ部に対するＦＦＴタイミング制御方法であって、
複数の下りリンク信号について同期タイミングを検出すると共に、当該下りリンク信号がユニキャストデータ又はマルチキャストデータであるかを検出する第１のステップと、
当該下りリンク信号がマルチキャストデータに基づくものである場合、遅延が最も小さい（最初に到達した）下りリンク信号の同期タイミングを、ＦＦＴウィンドウの開始点とするべく、ＦＦＴ部を制御する第２のステップと
を有することを特徴とする。
【００２４】
本発明のＦＦＴタイミング制御方法における他の実施形態によれば、
第１のステップは、受信電力、ＲＳＲＰ(Reference Signal Received Power)及び／又はＲＳＲＱ(Reference Signal Received Quality)が所定閾値以上となる下りリンク信号についてのみ、ユニキャストデータ又はマルチキャストデータであるかを検出することも好ましい。
【００２５】
本発明のＦＦＴタイミング制御方法における他の実施形態によれば、
第２のステップは、当該下りリンク信号がユニキャストデータに基づくものである場合、ユニキャスト用として選択された基地局からの信号の中で受信電力、ＲＳＲＰ及び／又はＲＳＲＱが最も高い下りリンク信号の同期タイミングを、ＦＦＴウィンドウの開始点とするべく、ＦＦＴ部を制御することも好ましい。
【００２６】
本発明のＦＦＴタイミング制御方法における他の実施形態によれば、
基地局から受信した下りリンク信号は、ｅＭＢＭＳ方式のＭＢＳＦＮに基づくものであり、
第１のステップは、ＳＩＢ及びＭＣＨに多重されたＭＣＣＨ及びＭＳＩによって端末が受信するマルチキャスト信号が配信されるタイミングを検出することも好ましい。
【００２７】
本発明によれば、ＬＴＥ方式のユニキャストデータ号及びマルチキャストデータが時分割に混在した信号を、複数の基地局から受信する無線端末について、下りリンク信号に対するＦＦＴ部を搭載した無線端末に搭載されたコンピュータを機能させるプログラムであって、
複数の下りリンク信号について同期タイミングを検出すると共に、当該下りリンク信号がユニキャストデータ又はマルチキャストデータであるかを検出する同期タイミング検出手段と、
当該下りリンク信号がマルチキャストデータに基づくものである場合、遅延が最も小さい（最初に到達した）下りリンク信号の同期タイミングを、ＦＦＴウィンドウの開始点とするべく、ＦＦＴ部を制御するＦＦＴタイミング制御手段と
してコンピュータを機能させることを特徴とする。
【発明の効果】
【００２８】
本発明の無線端末、方法及びプログラムによれば、ユニキャストデータ及びマルチキャストデータが時分割に混在して複数の基地局から配信されるＬＴＥ方式の通信環境にあっても、最適なＦＦＴタイミングに制御することができる。これによって、マルチキャストデータを高品質に受信することできる。
【図面の簡単な説明】
【００２９】
【図１】従来技術におけるＦＦＴウィンドウの開始点を表す説明図である。
【図２】無線端末におけるｅＭＢＭＳ方式の下りリンク信号の状態を表す説明図である。
【図３】本発明におけるＦＦＴウィンドウの開始点を表す説明図である。
【図４】本発明におけるＭＢＭＳ方式の下りリンク信号の状態を表す説明図である。
【図５】本発明における無線端末の機能構成図である。
【発明を実施するための形態】
【００３０】
以下では、本発明の実施の形態について、図面を用いて詳細に説明する。
【００３１】
図３は、本発明におけるＦＦＴウィンドウの開始点を表す説明図である。
【００３２】
図３によれば、図１と比較して、下りリンク信号がマルチキャストデータに基づくものである場合、遅延が最も小さい（最初に到達した）下りリンク信号（基地局Ａからの下りリンク信号）の同期タイミングを、ＦＦＴウィンドウの開始点とするべく、ＦＦＴ部が制御される。即ち、本発明によれば、下りリンク信号がユニキャストデータか又はマルチキャストデータかに応じて、ＦＦＴタイミングを切り替える。マルチキャストデータについて、最初に到達した下りリンク信号の同期タイミングをＦＦＴウィンドウの開始点とすることによって、先行遅延が発生しないようにする。
【００３３】
図４は、本発明におけるＭＢＭＳ方式の下りリンク信号の状態を表す説明図である。
【００３４】
図４によれば、図２と比較して、ユニキャスト用のＦＦＴタイミングと、マルチキャスト用のＦＦＴタイミングとが切り替えられている。ここで、下りリンク信号がマルチキャストデータに基づくものである場合、遅延が最も小さい（最初に到達した）下りリンク信号（基地局Ａからの下りリンク信号）の同期タイミングを、ＦＦＴウィンドウの開始点とするべく、ＦＦＴ部が制御される。
【００３５】
図５は、本発明における無線端末の機能構成図である。
【００３６】
図５によれば、無線端末１は、基地局２から送信された電波を、アンテナを介して無線受信部１０によって受信する。その下りリンク信号は、例えばＤＳＰ(Digital Signal Processor)又はＦＰＧＡ(Field Programmable Gate Array)のような信号処理プロセッサへ入力される。このようなプロセッサは、信号処理機能のソフトウェアを実行することによって、受信処理機能を構成する。
【００３７】
図５によれば、アナログ／デジタル変換部１１と、同期タイミング検出部１２と、ガードインターバル除去部１３と、ＦＦＴタイミング制御部１４と、ＦＦＴ（高速フーリエ変換、時間・周波数変換）部１５と、サブキャリア復調部１６と、並直列変換部１７と、復調部１８とを有する。
【００３８】
アナログ／デジタル変換部１１は、無線受信部１０によって受信されたアナログ信号を、デジタル信号に変換する。下りリンク信号のデジタル信号は、同期タイミング検出部１２へ出力される。
【００３９】
［同期タイミング検出部１２］
同期タイミング検出部１２は、複数の下りリンク信号からシンボル同期タイミングを検出する。これによって、マルチパス干渉が存在する場合であっても、伝搬路状況に応じて適切なシンボル同期タイミングを検出することができ、タイミングのずれに伴うシンボル間干渉を低減させ、信号伝送特性を向上させることができる。同期タイミングが検出された下りリンク信号は、ガードインターバル除去部１３へ出力される。
【００４０】
移動可能な無線端末によれば、起動時やハンドオーバ時に、同期信号に基づいて、自局にとって良好な無線品質のセルを検出することを要する（一般に「セルサーチ」と称される）。ＬＴＥ方式におけるセルサーチによれば、Ｐ−ＳＣＨ(Primary - Synchronization  Channel)及びＳ−ＳＣＨ(Secondary SCH)という２種類の同期信号が用いられる。
【００４１】
例えば、５ｍ秒に１回の時間間隔で、１つの系列を有するＰ−ＳＣＨと、複数の系列を有するＳ−ＳＣＨとが送信される技術がある（例えば非特許文献１参照）。この技術によれば、Ｐ−ＳＣＨによって、各セルからの下りリンクのシンボル受信タイミングやセルＩＤの一部が特定され、同じスロットに送信されるＳ−ＳＣＨによって、フレーム同期タイミングの検出と、セルグループ(Group ID)等のセル固有の情報が特定される。
【００４２】
ここで、無線端末は、周囲の複数のセルの同期タイミングやセルＩＤを、以下の考え方に基づいて「ユニキャスト用」及び「マルチキャスト用」に保存する。
（１）ユニキャストについては、特許文献１、２及び３に記載された従来技術に従って選択する。
（２）マルチキャストについては、最も早く到来した基地局を選択する。その時に、基地局からの制御信号、又は、無線端末内に予めダウンロードして保存されたデータを用いて、ｅＭＢＭＳを実施しているセルからのみ選択することもできる。無線端末内に予めダウンロードして保存されたデータとしては、例えば以下のようなものであり、それらの組み合わせであってもよい
・セルＩＤ            ：セルを識別するCell ID
・ｅＭＢＭＳサービスの有無情報
・ＭＢＦＳＮエリアＩＤ：
当該セルで実施しているｅＭＢＭＳサービスのＭＢＦＳＮエリアを識別する識別子
・サービスＩＤ        ：ＭＢＭＳサービスを識別する識別子
その時に、ｅＭＢＭＳを実施しているセル情報の他に、優先順位が設定されている場合、それらの情報を用いて、優先度が高いセルを選択する。
【００４３】
ここで、本発明における同期タイミング検出部１２は、当該下りリンク信号がユニキャストデータ又はマルチキャストデータであるかを検出する。セルサーチにより選択された、ユニキャスト用の通常の基地局２から受信した下りリンク信号で送信されるＳＩＢ(System Information Block)によって、ＭＢＳＦＮ信号が送信されてくるタイミングや、そのＭＢＳＦＮエリアにおけるＭＣＣＨを受信するためのタイミングを認識する。また、その時に、無線端末が、そのＭＢＳＦＮ信号を受信するかは、ＭＣＨ(Multicast Channel)に多重されたＭＣＣＨ(Multicast Control Channel)から、予め端末が受信する信号が多重されてくるＭＢＳＦＮ信号が送信されるタイミングを認識している。そのタイミングについて、各サービスがＭＢＳＦＮ信号の中でＭＳＰ(MCH Scheduling Peirod)単位で配信される。そのＭＳＰの中にあるＭＳＩ(MCH Scheduling Information)を受信することによって、端末が受信するＭＳＰを正確に認識でき、無線端末は、マルチキャスト信号が配信される正確なタイミングを認識できる。
【００４４】
「ＭＣＣＨ」は、下りリンクにおける制御用の論理チャネルであって、１対多のＭＢＭＳのためのマルチキャストチャネルのスケジューリングを通知する制御チャネルである。また、「ＭＣＨ」は、下りリンクにおけるトランスポートチャネルであって、セル全域に渡って報知されるＭＢＭＳトラヒック及び制御チャネルである。同期タイミング検出部１２は、これらの信号によって検出されたマルチキャスト信号が送信されるタイミングを、ＦＦＴタイミング制御部１４に通知する。
【００４５】
そして、同期タイミング検出部１２は、当該下りリンク信号のユニキャスト用とマルチキャスト用の同期タイミングと、当該下りリンク信号がユニキャストデータ又はマルチキャストデータであるかの情報を、ＦＦＴタイミング制御部１４へ出力する。
【００４６】
また、同期タイミング検出部１２は、受信電力、ＲＳＲＰ(Reference Signal Received Power)及び／又はＲＳＲＱ(Reference Signal Received Quality)が所定閾値以上となる下りリンク信号についてのみ、ユニキャストデータ又はマルチキャストデータであるかを検出することも好ましい。これは、無線品質が所定閾値よりも低い下りリンク信号は、同期タイミングの候補から外すことを意味する。尚、ＲＳＲＰとは、リファレンス信号の受信電力を意味する。ＲＳＲＱとは、基準とするセルのＲＳＲＰから算出される基準とするセルからの信号の電力と、それに隣接するセルからの電波も含めたキャリア全体の受信電力との比を意味する。
【００４７】
尚、セルサーチの技術として、周波数毎に優先順位を付けることによって、優先順位が高いセルに接続されるようにする技術がある（例えば特許文献２参照）。この技術によれば、無線端末から基地局へ無駄な報告メッセージが送信されない。また、セルサーチ時に消費電力を減らす技術もある（例えば特許文献２参照）。
【００４８】
ガードインターバル除去部１３は、ガードインターバルを除去する。ガードインターバルが除去された下りリンク信号は、ＦＦＴ部１５へ出力される。
【００４９】
［ＦＦＴタイミング制御部１４］
ＦＦＴタイミング制御部１４は、同期タイミング検出部１２から入力された情報によって、以下のように制御を切り替える。
（１）［当該下りリンク信号がマルチキャストデータに基づくものである場合］
マルチキャスト用に設定された下りリンク信号の同期タイミングを、ＦＦＴウィンドウの開始点とするべく、ＦＦＴ部１５を制御する。
（２）「当該下りリンク信号がユニキャストデータに基づくものである場合］
ユニキャスト用に設定された同期タイミングを、ＦＦＴウィンドウの開始点とするべく、ＦＦＴ部１５を制御する。即ち、ＦＦＴタイミング制御部１４は、従来技術であるユニキャスト用として選択された基地局からの信号の中で受信電力、ＲＳＲＰ及び／又はＲＳＲＱが最も高い下りリンク信号の同期タイミングを、ＦＦＴウィンドウの開始点とするべく、ＦＦＴ部１５を制御する。
【００５０】
マルチキャストデータについては、同一コンテンツであるために、複数のセルからの下りリンク信号は必ずしも干渉にならない。即ち、ガードインターバル区間内であれば、複数のセルからの下りリンク信号は合成され、利得となる。そのため、ガードインターバル及びセルサーチの意味合い自体も、ユニキャストデータとは大きく異なる。
【００５１】
ＦＦＴ部１５は、ＦＦＴタイミング制御部１４から制御されるＦＦＴウィンドウの開始点に応じて、ガードインターバル除去部１３から入力された下りリンク信号を、各サブキャリア周波数の成分に分離する。これらサブキャリア信号は、複数のサブキャリア復調部１６へ出力される。
【００５２】
サブキャリア復調部１６は、複数の乗算器を用いて、時間軸上及び周波数軸上で各情報チャネルに対応したシンボルを合成し、信号が復調される。復調された複数の信号は、並直列変換部１７へ出力される。
【００５３】
並直列変換部１７は、複数のサブキャリア毎の信号を直列信号列に変換し、これら信号を復調部１６へ出力する。
【００５４】
復調部１８は、データに復調すると共に、誤り訂正復号を実行し、復元されたデータをデータ送受信部へ出力する。
【００５５】
尚、従来技術として記載したように、ＬＴＥの無線端末によれば、非接続状態(IDLE)と接続状態(connected)との２つの状態を有し、本発明によれば、非接続状態におけるセル選択方式に基づくものである。勿論、接続状態におけるハンドオーバ方式をオプション的に併用することもできる。この場合、無線端末は、基地局へ、無線品質だけでなく、電波の到来時間も報告することも好ましい。無線端末は、マルチキャスト用として基地局から指示された基地局を選択することもできる。また、本発明の無線端末によれば、接続状態についても、マルチキャスト信号を受信するタイミングでのみ、選択された基地局に基づく同期タイミングを基準として選択することができる。
【００５６】
以上、詳細に説明したように、本発明の無線端末、方法及びプログラムによれば、ユニキャストデータ及びマルチキャストデータが時分割に混在して複数の基地局から配信されるＬＴＥ方式の通信環境にあっても、最適なＦＦＴタイミングに制御することができる。これによって、無線端末は、ｅＭＢＭＳ方式に基づくマルチキャストデータについて、コンスタレーション（ｘ軸：同相成分、ｙ軸：直行成分）が統一された高品質な信号を受信することができる。
【００５７】
前述した本発明の種々の実施形態について、本発明の技術思想及び見地の範囲の種々の変更、修正及び省略は、当業者によれば容易に行うことができる。前述の説明はあくまで例であって、何ら制約しようとするものではない。本発明は、特許請求の範囲及びその均等物として限定するものにのみ制約される。
【符号の説明】
【００５８】
１  無線端末
１０  無線受信部
１１  アナログ／デジタル変換部
１２  同期タイミング検出部
１３  ガードインターバル除去部
１４  ＦＦＴタイミング制御部
１５  ＦＦＴ部
１６  サブキャリア復調部
１７  並直列変換部
１８  復調部
２  基地局
【図１】
2013207464.tif 000003
【図２】
2013207464.tif 000004
【図３】
2013207464.tif 000005
【図４】
2013207464.tif 000006
【図５】
2013207464.tif 000007